(57)【要約】【課題】図４の（ａ）〜（ｅ）に示すようにゴルフスイング時の腕の使い方が判らずゴルフスイングが安定しないため、バックスイングからフォロースルーに至るクラブヘッドの回転が安定せず、ゴルフスイングがバラバラになって打球が不安定になる。【解決手段】本発明のゴルフ連取用具１０は、第１のスプリングコイル１１と、第１のスプリングコイル１１より短い第２のスプリングコイル１２と、第１、第２のスプリングコイル１１、１２それぞれの一端に連結された足踏み具１３と、第１、第２のスプリングコイル１１、１２それぞれの他端に連結された第１、第２の連結具１４、１５とを備え、第１のプリングコイル１１を第１の連結具１４によってゴルフクラブ２０のグリップエンド２１Ａ側に連結し、第２のプリングコイル１２を第２の連結具１５によってブリップ２１のヘッド側端部２１Ｂに連結して使用する。【選択図】      図１
2005013643.tif 000002
【特許請求の範囲】
【請求項１】
ゴルフのスイング練習を行う際にゴルフクラブまたはグリップ練習用具に付けて使用するゴルフ練習用具であって、伸縮自在な紐状に形成された第１の弾性部材と、第１の弾性部材より短く且つ伸縮自在な紐状に形成された第２の弾性部材と、第１、第２の弾性部材それぞれの一端に連結された足踏み具と、第１、第２の弾性部材それぞれの他端に連結された第１、第２の連結具とを備え、第１の弾性部材を第１の連結具によってゴルフクラブのグリップエンド側に連結すると共に、第２の弾性部材を第２の連結具によって上記グリップのヘッド側に連結するように構成されたことを特徴とするゴルフ練習用具。
【請求項２】
第１、第２の弾性部材をスプリングによって構成したことを特徴とする請求項１に記載のゴルフ練習用具。
【発明の詳細な説明】
【０００１】
【発明の属する技術分野】
本発明は、ゴルフ練習用具に関し、更に詳しくはゴルフススイングを習得し、矯正することができるゴルフ練習用具に関する。
【０００２】
【従来の技術及び発明が解決しようとする課題】
ゴルファーは、ゴルフ雑誌等の情報からゴルフスイングの基本パターンを学び、また、ゴルフ練習場において数多くのボールを打つことによって自己のゴルフスイングのパターンをチェックし、矯正するように努める。しかしながら、自己流で練習を行うと、スイングが安定せず、なかなか基本パターンを確立することが難しい。また、ゴルフ練習場以外でも種々のゴルフ練習用具を用いてグリップの仕方やゴルフスイングの習得、矯正に余念がない。
【０００３】
そこで、ゴルファーは、ゴルフ練習場では、インストラクタをつけてゴルフクラブのグリップの仕方や、ゴルフスイングを学んで基本パターンを習得し、一日でも早く上達するように努力する。例えば、ゴルファーがゴルフスイングを練習する場合には、図４の（ａ）〜（ｅ）に示すようにゴルフクラブの素振りを繰り返すことによって各自の基本パターンを習得する。
【０００４】
即ち、同図の（ａ）に示すようにゴルフクラブ１を持ってアドレス位置に構える。次いで、同図の（ｂ）、（ｃ）に示すように肩を回転させてゴルフクラブ１を右上方にゆっくりと振り上げてバックスイングを行った後、同図の（ｄ）に示すようにゴルフクラブ１を振り下ろし、インパクト位置を通り、同図に（ｅ）に示すようにフォロースルーに至る。バックスイングからフォロースルーまでゴルフクラブのヘッドの安定した円軌道を描くことができれば、ボールはインパクト後まっすぐに飛び出す。
【０００５】
【発明が解決しようとする課題】
しかしながら、初心者等の場合には、インストラクタ等の指導の基に練習を行っても指導通りにスイングできるわけではなく、図４の（ｂ）に示すようにバックスイング時には右肘が右脇腹から離れてダウンスイングに入る時のゴルフクラブ１の回転中心が定まらず、また、同図の（ｂ）〜（ｄ）に示すようにバックスイングからインパクト位置を通ってフォロースルーに入る時に左肘が左脇腹から離れてゴルフクラブ１の回転中心が定まらず、安定したフォロースルーを実現することが難しい。このようにゴルフスイング時の腕の使い方が定まらずゴルフスイングが安定しないため、バックスイングからフォロースルーに至るクラブヘッドの回転（円軌道）が安定せず、ゴルフスイングがバラバラになって打球が不安定になるという課題があった。
【０００６】
本発明は、上記課題を解決するためになされたもので、安定したゴルフスイングを習得することができ、また、バラバラになりがちなゴルフスイングを矯正して安定化させることができるゴルフ練習用具を提供することを目的としている。
【０００７】
【課題を解決するための手段】
本発明の請求項１に記載のゴルフ練習用具は、ゴルフのスイング練習を行う際にゴルフクラブまたはグリップ練習用具に付けて使用するゴルフ練習用具であって、伸縮自在な紐状に形成された第１の弾性部材と、第１の弾性部材より短く且つ伸縮自在な紐状に形成された第２の弾性部材と、第１、第２の弾性部材それぞれの一端に連結された足踏み具と、第１、第２の弾性部材それぞれの他端に連結された第１、第２の連結具とを備え、第１の弾性部材を第１の連結具によってゴルフクラブのグリップエンド側に連結すると共に、第２の弾性部材を第２の連結具によって上記グリップのヘッド側に連結するように構成されたことを特徴とするものである。
【０００８】
また、本発明の請求項２に記載のゴルフ練習用具は、請求項１に記載の発明において、第１、第２の弾性部材をスプリングによって構成したことを特徴とするものである。
【０００９】
【発明の実施の形態】
以下、図１〜図３に示す実施形態に基づいて本発明を説明する。尚、各図中、図１は本発明のゴルフ練習用具の一実施形態を示す側面図、図２の（ａ）〜（ｅ）は図１に示すゴルフ練習用具を用いたスイング練習の身体の動きを説明するための説明図、図３は図２の（ａ）〜（ｅ）を重ね合わせた図である。
【００１０】
本実施形態のゴルフ練習用具１０は、例えば図１に示すように、ゴルフのスイング練習を行う際にゴルフクラブ２０に付けて使用するものである。このゴルフ練習用具１０は、同図に示すように、伸縮自在な紐状に形成されたとしての第１のコイルスプリング１１と、第１のコイルスプリング１１より短く且つ伸縮自在な紐状に形成された第２の弾性部材としての第２のコイルスプリング１２と、第１、第２のコイルスプリング１１、１２それぞれの一端に連結された矩形状の足踏み具１３と、第１、第２のコイルスプリング１１、１２それぞれの他端に連結された第１、第２の連結具１４、１５とを備えている。
【００１１】
第１のコイルスプリング１１は第１の連結具１４を介してゴルフクラブ２０のグリップ２１の基端部（グリップエンド部）２１Ａに連結され、第２のコイルスプリング１２は第２の連結具１５を介してグリップ２１のヘッド２２側の端部（ヘッド側端部）２１Ｂに連結される。そして、使用者がゴルフクラブ２０を握ってアドレス位置に構えた時に、第１、第２のコイルスプリング１１、１２の足踏み具１３が略水平になるように調整されている。また、使用者がゴルフクラブ２０をアドレス位置に構えた時には足踏み具１３の下端は地上からやや上方に位置し、足踏み具１３内に足を挿入すると第１、第２のコイルスプリング１１、１２に若干のバネ力が掛かるようになっている。
【００１２】
第１、第２のコイルスプリング１１、１２のバネ力はバネ定数によって異なる。そこで、使用者は、腕力、体力等に合わせて適宜のバネ定数を有するゴルフ練習用具１０を選択して使用することができる。つまり、ゴルフ練習用具１０は、バネ定数が異なった複数種が準備されている。
【００１３】
そして、ゴルフ練習用具１０を用いてスイングの練習を行う時に、肩を回転させながらゴルフクラブ２０を肩と同時に回転させてバックスイングすると、第１、第２のコイルスプリング１１、１２から両腕にバネ力が作用し、バックスイング時には右の上腕部を右脇腹に押し付け、右肘を支点として右腕に回転力を付与し、右上腕部の右脇腹からの開きを防止することができる。しかもゴルフスイングに必要な上半身の捻りを習得することができる。また、肩を回転させてバックスイングの位置からゴルフクラブ２０を振り下げてヘッド２２がインパクトゾーンを通りフォロースルーに至る過程で、第１、第２のコイルスプリング１１、１２から両腕にバネ力が作用して左の上腕部が左脇腹から開くことなく両腕をスムーズに回転させ、フォロースルーを安定化することができる。また、バックスイングと同様にフォロースルー時にもゴルフスイングに必要な上半身の捻りを習得することができる。
【００１４】
従って、このゴルフ練習用具１０を用いてスイング練習をゆっくりとした動作で繰り返す間に、安定したバックスイングと、バックスイングに続くインパクトからフォロースルーに至る回転動作を安定させることができ、延いてはゴルフクラブ２０のヘッド２２がスムーズに円軌道を描き、打球を安定化することができる。つまり、初心者はゴルフ練習用具１０を用いてスイング練習を繰り返す間に安定したゴルフスイングの基本パターンを習得することができる。
【００１５】
また、打球が安定しない者の場合にはゴルフ練習用具１０を用いてスイング練習を繰り返す間にスイングを矯正して基本バターンに戻し、打球を安定化することができる。更に、ゴルフ練習用具１０を繰り返し用いることにより、第１、第２のスプリングコイル１１、１２の働きでゴルフスイングに必要な背筋力、腹筋及び腕の筋肉等を自然に鍛えることができる。
【００１６】
また、第１、第２の連結具１４、１５は、それぞれ例えばプラスチックによって形成され、ゴルフクラブ２０のグリップ２１の太さに即して締め付ける締め付け調整機構を有している。従って、ゴルフ練習用具１０は、如何なる種類のゴルフクラブ２０であっても取り付けることができる。
【００１７】
また、足踏み具１３には紐等によって形成された止め具１６が取り付けられ、この止め具１６によって足踏み具１３を足に止め、ゴルフ練習用具１０の使用時に足踏み具１３が足から外れて跳ね上がらないようにしてある。スイング練習時には足踏み具１３を踏み締めて使用するため、アドレス時やスイング中でも足の裏に掛かる重心位置を確認し、体重の重心位置を自然に習得することができ、更にスイングを安定化することができる。
【００１８】
次に、ゴルフ練習用具１０の使用方法について図２の（ａ）〜（ｅ）を参照しながら説明する。例えばゴルフクラブ２０のグリップエンド部２１Ａに第１の連結具１４を介して第１のコイルスプリング１１を連結すると共にグリップ２１のヘッド側端部２１Ｂに第２の連結具１５を介して第２のコイルスプリング１２を連結し、ゴルフ練習用具１０をゴルフクラブ２０に取り付ける。
【００１９】
次いで、図２の（ａ）に示すように使用者がゴルフクラブ２０のグリップ２１を握ってゴルフクラブ２０を持ち、例えばゴルフ練習用具１０の足踏み具１３内に左足を踏み込んでアドレス位置に構える。
【００２０】
引き続き、図２の（ｂ）、（ｃ）に示すように第１、第２のコイルスプリング１１、１２の両腕を右上方向に振り上げながら肩に回転させてバックスイングへ移行すると、この際、第１、第２のコイルスプリング１１、１２が伸び、主に第２のコイルスプリング１２のバネ力が作用して上腕部を右脇腹に押し付けて上腕部の開きを防止すると共に右肘を右脇腹に当てて右腕を安定化することができる。
【００２１】
次いで、図２の（ｄ）に示すようにバックスイングからゴルフクラブ２０を振り下ろす時には第１、第２のコイルスプリング１１、１２の働きで右腕が右肘を支点とし、両脇を締めた状態で両腕がスムーズに安定的に回転し、ゴルフクラブ２０のヘッド２２が円軌道を描いて自然にインパクト位置を通る。
【００２２】
図２の（ｄ）に示すようにヘッド２２がインパクト位置を通り、引き続き、同図の（ｅ）に示すように肩を回転させながら両腕を左上方に回転させてゴルフクラブ２０を振り上げてフォロースルーに入ると、第１、第２のコイルスプリング１１、１２から両腕にバネ力が作用し、特に左上腕部を左脇腹に押し付けて左腕の開きを防止することができ、左腕は左肘を支点としてヘッド２２がスムーズに円軌道を描き、フォロースルーを安定化することができる。この練習を繰り返す間にゴルフスイングの基本パターンを確立することができ、打球を安定化することができる。尚、図３は図２の（ａ）、（ｃ）、（ｄ）、（ｅ）を重ね合わせて第１、第２のコイルスプリング１１、１２の変化する状態を示した図である。
【００２３】
以上説明したように本実施形態によれば、ゴルフ練習用具１０は、第１のスプリングコイル１１と、第１のスプリングコイル１１より短い第２のスプリングコイル１２と、第１、第２のスプリングコイル１１、１２それぞれの一端に連結された足踏み具１３と、第１、第２のスプリングコイル１１、１２それぞれの他端に連結された第１、第２の連結具１４、１５とを備え、第１のスプリングコイル１１を第１の連結具１４によってゴルフクラブ２０のグリップエンド２１Ａ側に連結すると共に、第２のスプリングコイル１２を第２の連結具１５によってグリップ２１のヘッド側端部２１Ｂに連結して使用するため、ゴルフスイング時に第１、第２のコイルスプリング１１、１２の働きで左右の上腕部の開きを防止してヘッド２２の回転軌道を安定化してゴルフスイングを安定化することができ、延いては打球方向を安定化することができる。また、ゴルフスイングを練習する間に、第１、第２のスプリングコイル１１、１２の働きでゴルフスイングに必要な背筋力、腹筋及び腕の筋肉等を自然に鍛えることができる。
【００２４】
尚、本発明は上記実施形態に何等制限されるものではなく、本発明の各構成要素を適宜設計変更することができる。例えば、上記実施形態では第１、第２の弾性部材としてコイルスプリングを用いた場合について説明したが、コイルスプリングに代えてゴム等の弾性部材を用いても良い。また、上記実施形態ではゴルフ練習用具をゴルフクラブに付けて使用する場合について説明したが、ゴルフクラブに準じた用具、例えばグリップの仕方を習得するためのグリップ練習用具に取り付けて使用しても良い。
【００２５】
【発明の効果】
本発明の請求項１または請求項２に記載の発明によれば、安定したゴルフスイングを習得することができ、また、バラバラになりがちなゴルフスイングを矯正して安定化させることができるゴルフ練習用具を提供することができる。
【図面の簡単な説明】
【図１】本発明のゴルフ練習用具の一実施形態を示す側面図である。
【図２】（ａ）〜（ｅ）は図１に示すゴルフ練習用具を用いたスイング練習の身体の動きを説明するための説明図である。
【図３】図２の（ａ）〜（ｅ）を重ね合わせた図である。
【図４】（ａ）〜（ｅ）はスイング練習時の身体の動きを説明するための説明図である。
【符号の説明】
１０    ゴルフ練習用具
１１    第１のスプリングコイル（第１の弾性部材）
１２    第２のスプリングコイル（第２の弾性部材）
１３    第１の連結具
１４    第２の連結具
１５    足踏み具
【図１】
2005013643.tif 000003
【図２】
2005013643.tif 000004
【図３】
2005013643.tif 000005
【図４】
2005013643.tif 000006